(57)【要約】【課題】小型のスライダを備えたリニアガイド装置のスライダ抜け止め用ストッパーとして、安価で取り付け取り外しが簡単なものを提供する。【解決手段】帯状部５と二対の側板部６１ａ〜６２ｂが一体化された板状ストッパーである。帯状部５は、側板部６１ａ〜６２ｂを有さない第１の部分５１と、側板部６１ａ〜６２ｂを有する第２の部分５２とからなる。このストッパーは、帯状部５の第２の部分５２に側板部６１ａ〜６２ｂを折り重ねた状態で、案内レール１の上面とスライダ２の胴部２Ａとの隙間に挿入し、第２の部分５２をスライダ２の外側に出して案内レール１に両面テープ７で固定した後、側板部６１ａ〜６２ｂを開くことで、スライダ抜け止め機能を発揮する。【選択図】図５
2010190245.tif 000002
【特許請求の範囲】
【請求項１】
案内レールと、案内レールの上側に配置される胴部および両側に配置される脚部を有するスライダと、複数個の転動体と、を備え、
案内レールおよびスライダは、互いに対向配置されて転動体の転動通路を形成する転動面を有し、
転動体の転動により案内レールおよびスライダの一方が他方に対して相対的に直線運動するリニアガイド装置の、
前記スライダが案内レールから外れることを防止するストッパーであって、
スライダの案内レールの長さ方向に沿った寸法より長く、案内レールの幅より狭い幅の帯状部と、この帯状部の長さ方向両端で幅方向両側に拡がるように設けた二対の側板部と、を有し、
各側板部の帯状部の幅方向に沿った寸法は案内レールの幅より小さく、
前記帯状部の幅方向の同じ側に設けた側板部間の距離が、スライダの案内レールの長さ方向に沿った寸法より大きく、
前記帯状部と側板部との境界線を折り線として側板部が帯状部に折り重ね可能であり、折り重ね状態での全体の厚さが、案内レールの上面とスライダの胴部との隙間に挿入可能な厚さであり、
対をなす側板部を拡げた状態での全体の幅が、案内レールの幅より大きいことを特徴とするリニアガイド装置のスライダ抜け止め用ストッパー。
【請求項２】
前記帯状部の側板部を有する部分と有さない部分との境界で破断され易い状態に形成された請求項１記載のスライダ抜け止め用ストッパー。
【請求項３】
案内レールと、案内レールの上側に配置される胴部および両側に配置される脚部を有するスライダと、複数個の転動体と、を備え、
案内レールおよびスライダは、互いに対向配置されて転動体の転動通路を形成する転動面を有し、
転動体の転動により案内レールおよびスライダの一方が他方に対して相対的に直線運動するリニアガイド装置であって、
スライダの案内レールの長さ方向に沿った寸法より長く、案内レールの幅より狭い幅の帯状部と、この帯状部の長さ方向両端で幅方向両側に拡がるように設けた二対の側板部と、を有し、
各側板部の帯状部の幅方向に沿った寸法は案内レールの幅より小さく、
前記帯状部の幅方向の同じ側に設けた側板部間の距離が、スライダの案内レールの長さ方向に沿った寸法より大きく、
前記帯状部と側板部との境界線を折り線として側板部が帯状部に折り重ね可能であり、折り重ね状態での全体の厚さが、案内レールの上面とスライダの胴部との隙間に挿入可能な厚さであり、
対をなす側板部を拡げた状態での全体の幅が、案内レールの幅より大きいストッパーを用い、
前記帯状部の側板部を有さない部分が、案内レールの上面とスライダの胴部との隙間に配置され、
前記帯状部の側板部を有する部分が、前記側板部を拡げた状態でスライダの外側に配置されて、案内レールの上面に固定されていることを特徴とするリニアガイド装置。
【発明の詳細な説明】
【技術分野】
【０００１】
この発明は、リニアガイド装置のスライダが案内レールから外れることを防止するストッパーに関する。
【背景技術】
【０００２】
リニアガイド装置は、図６に示すように、案内レール１とスライダ（「ベアリング」とも称される）２と複数個のボール（転動体）３とを備えている。案内レール１およびスライダ２は、互いに対向配置されて転動体３の転動通路を形成する転動溝１１，２１を有する。
スライダ２は、案内レール１の上側に配置される胴部２Ａと、両側に配置される脚部２Ｂを有する。また、スライダ２は、案内レール１の長さ方向で、スライダ本体２０Ａと、その両端に固定されたエンドキャップ２０Ｂと、さらにその両端に固定されたサイドシール２０Ｃとに分けられる。転動溝２１はスライダ本体２０Ａに形成されている。
【０００３】
スライダ２は、また、転動体３の戻し通路２２と、この戻し通路２２と前記転動通路とを連通させる方向転換路を有する。戻し通路２２はスライダ本体２０Ａに、方向転換路はエンドキャップ２０Ｂに形成されている。また、案内レール１には、基台等の被取付部にボルトを用いて取り付けるための取り付け穴４が形成されている。
そして、前記転動通路、戻し通路、および方向転換路で転動体の循環経路が構成され、この循環経路内をボール３が循環することにより、案内レール１およびスライダ２の一方が他方に対して相対的に直線運動する。
【０００４】
このようなリニアガイド装置では、搬送時や取り付け時に、スライダが案内レールから外れることを防止する必要がある。下記の特許文献１および２には、そのために使用されるストッパーが記載されている。
特許文献１のストッパーは、案内レールの上面を跨ぐように断面コ字状に形成された本体と、本体の内側に設けた弾性材からなる被覆層と、本体の一方の袖部を貫通するねじ下穴と、ねじ下穴に螺合する締め付けボルトとからなる。被覆層はねじ下穴の開口を含む本体の内側全体に設けてある。また、被覆層には、案内レールの両側面の転動溝に係合させる溝係合突部が形成されている。取り付けの際には、このストッパーを案内レールに上から押し込んで締め付けボルトを締めつけることにより、被覆層の溝係合突部を案内レールの転動溝に係合する。
【０００５】
また、下記の特許文献２には、案内レールの上下面の一方に、案内レールの幅方向に横断する切欠きを設け、この切欠きに係合させる線材をストッパーとすることが記載されている。ストッパーをなす線材は、中央部を切欠き係合部として、その両側に、案内レールの転動溝に係合する取り付け部を設け、少なくとも一部がスライダと当接可能に案内レール外面から突出する形状となっている。
【０００６】
なお、スライダが案内レールから外れることを防止するために、案内レールの両端面に雌ねじを形成し、案内レールの上面より突出するように配置した板材をボルトで固定することも行われている。
【先行技術文献】
【特許文献】
【０００７】
【特許文献１】実開平４−１１７９２２号公報
【特許文献２】特開平９−４６４０号公報
【発明の概要】
【発明が解決しようとする課題】
【０００８】
スライダが小さく軽量で摩擦力が低く、サイドシールがないタイプのリニアガイド装置では、ストッパーの案内レールに対する固定力はさほど強力である必要がないため、安価で取り付け取り外しが簡単なストッパーが求められている。
これに対して、特許文献１に記載されいてるストッパーは、部品点数が多いためコスト高である。また、特許文献２に記載されいてるストッパーや、案内レールに板材をボルトで固定する方法では、案内レールに加工を施すことでコスト高となる。
【０００９】
この発明の課題は、小型のスライダを備えたリニアガイド装置のスライダが案内レールから外れないようにするための、安価で取り付け取り外しが簡単なストッパーを提供することである。
【課題を解決するための手段】
【００１０】
上記課題を解決するために、この発明は、案内レールと、案内レールの上側に配置される胴部および両側に配置される脚部を有するスライダと、複数個の転動体と、を備え、案内レールおよびスライダは、互いに対向配置されて転動体の転動通路を形成する転動面を有し、転動体の転動により案内レールおよびスライダの一方が他方に対して相対的に直線運動するリニアガイド装置の、前記スライダが案内レールから外れることを防止するストッパーであって、スライダの案内レールの長さ方向に沿った寸法より長く、案内レールの幅より狭い幅の帯状部と、この帯状部の長さ方向両端で幅方向両側に拡がるように設けた二対の側板部と、を有し、各側板部の帯状部の幅方向に沿った寸法は案内レールの幅より小さく、前記帯状部の幅方向の同じ側に設けた側板部間の距離が、スライダの案内レールの長さ方向に沿った寸法より大きく、前記帯状部と側板部との境界線を折り線として側板部が帯状部に折り重ね可能であり、折り重ね状態での全体の厚さが、案内レールの上面とスライダの胴部との隙間に挿入可能な厚さであり、対をなす側板部を拡げた状態での全体の幅が、案内レールの幅より大きいことを特徴とするリニアガイド装置のスライダ抜け止め用ストッパーを提供する。
【００１１】
この発明のスライダ抜け止め用ストッパーは、前記帯状部の側板部を有する部分と有さない部分との境界で破断され易い状態に形成されていることが好ましい。
この発明のリニアガイド装置は、案内レールと、案内レールの上側に配置される胴部および両側に配置される脚部を有するスライダと、複数個の転動体と、を備え、案内レールおよびスライダは、互いに対向配置されて転動体の転動通路を形成する転動面を有し、転動体の転動により案内レールおよびスライダの一方が他方に対して相対的に直線運動するリニアガイド装置であって、この発明のストッパーを用い、前記帯状部の側板部を有さない部分が、案内レールの上面とスライダの胴部との隙間に配置され、前記帯状部の側板部を有する部分が、前記側板部を拡げた状態でスライダの外側に配置されて、案内レールの上面に固定されていることを特徴とする。
【発明の効果】
【００１２】
この発明のリニアガイド装置のスライダ抜け止め用ストッパーは、安価で取り付け取り外しが簡単であり、小型のスライダを備えたリニアガイド装置のスライダが案内レールから外れることを防止できる。
【図面の簡単な説明】
【００１３】
【図１】この発明の一実施形態のストッパーを示す図であって、帯状部に側板部を折り重ねた状態を示す平面図（ａ）および側面図（ｂ）と、側板部を拡げた状態を示す平面図（ｃ）である。
【図２】図１のストッパーを取り付けるリニアガイド装置を示す正面図である。
【図３】図１のストッパーを取り付けるリニアガイド装置を示す平面図である。
【図４】図１のストッパーが図２のリニアガイド装置に取り付けられた状態を示す正面図である。
【図５】図１のストッパーを図２のリニアガイド装置に取り付ける手順を説明する平面図である。
【図６】リニアガイド装置の構造を説明する斜視図である。
【発明を実施するための形態】
【００１４】
以下、この発明の一実施形態について説明する。
図１に示すように、この実施形態のストッパーは、帯状部５と、その長さ方向両端で幅方向両側に拡がるように設けた二対の側板部６１ａ，６１ｂ，６２ａ，６２ｂと、丸く切り取られた２個の両面テープ７と、からなる。
帯状部５は、側板部６１ａ〜６２ｂを有さない第１の部分５１と、側板部６１ａ〜６２ｂを有する第２の部分５２とに分けられ、その境界に沿ったライン８がそれ以外の部分よりも薄く形成されて、ライン８に沿って破断され易い状態になっている。このストッパーは、帯状部５と側板部６１ａ〜６２ｂとの境界線を折り線６５として、側板部６１ａ〜６２ｂが帯状部５に折り重ね可能になっている。
【００１５】
帯状部５と側板部６１ａ〜６２ｂは、ナイロン板等の合成樹脂板から切り出す等の方法で、一体に形成され、ライン８の部分は溝を設けること等の方法で他の部分よりも薄くする。両面テープ７は、第２の部分５２の一方の面（側板部６１ａ〜６２ｂを折り重ねる面の反対面）に貼り付けられ、剥離紙が付いている。
このストッパーは、図２および３に示すリニアガイド装置用である。このリニアガイド装置は、案内レール１とスライダ２とからなる。スライダ２は、スライダ本体２０Ａと、その両端に固定されたエンドキャップ２０Ｂとからなり、サイドシールを有さない。
【００１６】
図１のストッパーの帯状部５の長さＬ１は、取り付ける対象であるリニアガイド装置のスライダ２の寸法Ｌ２（案内レール１の長さ方向に沿った寸法）より長く、帯状部５の幅Ｗ１は、案内レール１の上面の幅Ｗ２より少し狭い。各側板部６１ａ，６１ｂ，６２ａ，６２ｂの帯状部４の幅方向に沿った寸法Ｗ３は、帯状部５の幅Ｗ１と略同じであり、案内レールの上面の幅Ｗ２より少し小さい。また、帯状部５の幅方向の同じ側に設けた側板部間の距離（側板部６１ａと側板部６２ａとの距離、側板部６２ｂと側板部６１ｂとの距離）Ｌ３は、スライダ２の寸法Ｌ２より大きい。
【００１７】
このストッパーは、折り重ね状態での全体の厚さＴ１が、案内レール１の上面とスライダ２の胴部２Ａとの隙間の寸法Ｔ２より小さい。対をなす側板部（側板部６１ａと側板部６１ｂ、側板部６２ａと側板部６２ｂ）を拡げた状態での全体の幅Ｗ４は、エンドキャップ２０Ｂの幅Ｗ５に略等しい。
このストッパーを取り付ける際には、先ず、帯状部５に側板部６１ａ〜６２ｂを折り重ねた状態で、側板部６１ａ〜６２ｂの方を上に向けて、リニアガイド装置の案内レール１の上面とスライダ２の胴部２Ａとの隙間に挿入し、図５（ａ）に示す状態とする。図５（ａ）では、ストッパーの帯状部５の第１の部分５１が、案内レール１の上面とスライダ２の胴部２Ａとの隙間に配置され、側板部６１ａ〜６２ｂが折り重ねられた第２の部分５２が、スライダ２の外側に配置されている。この状態で、第２の部分５２をめくって両面テープ７の剥離紙を剥がして上から押さえつけることにより、ストッパーの帯状部５の長さ方向両端部（第２の部分５２）を両面テープ７で案内レール１の上面に固定する。
【００１８】
次に、第２の部分５２に折り重ねられている側板部６１ａ〜６２ｂを開いて、図５（ｂ）に示す状態にする。この状態を示す正面図が図４である。この状態でスライダ２が案内レール１の長さ方向に移動しようとすると、スライダ２がストッパーの二対の側板部６１ａ〜６２ｂのうちの一対に接触するが、帯状部５の第２の部分５２が案内レール１に固定されているため、このストッパーによりスライダ２の案内レール１の長さ方向に沿った移動が規制される。
【００１９】
このストッパーを外す際には、図５（ｂ）に示す状態で、先ず、両面テープ７を剥がすことで、帯状部５の第２の部分５２を案内レール１から外し、一方の第２の部分５２を引っ張る。これにより、帯状部５の第２の部分５２がライン８から破断されて、図５（ｃ）に示す状態になる。次に、反対側の第２の部分５２を掴んで手前に引くことで、第１の部分５１をスライダ２と案内レール１との隙間から引き抜く。
【００２０】
したがって、この実施形態のストッパーは、安価で取り付け取り外しが簡単であり、サイドシールを有さない、小型のスライダを備えたリニアガイド装置用とした場合、スライダが案内レールから外れることを防止できる。
なお、この実施形態のストッパーには両面テープ７が貼り付けられているが、これは必須ではなく、市販の両面テープや接着剤などを用いてストッパーを案内レールに固定してもよい。
【符号の説明】
【００２１】
１  案内レール
１１  案内レールの転動溝
２  スライダ
２０Ａ  スライダ本体
２０Ｂ  エンドキャップ
２０Ｃ  サイドシール
２１  転動溝
２２  戻し通路
２Ａ  胴部
２Ｂ  脚部
３  ボール（転動体）
４  取り付け穴
５  ストッパーの帯状部
５１  帯状部の第１の部分（側板部を有さない部分）
５２  帯状部の第２の部分（側板部を有する部分）
６１ａ  ストッパーの側板部
６１ｂ  ストッパーの側板部
６２ａ  ストッパーの側板部
６２ｂ  ストッパーの側板部
６５  折り線
７  両面テープ
８  帯状部の第１の部分と第２の部分との境界に沿ったライン
【図１】
2010190245.tif 000003
【図２】
2010190245.tif 000004
【図３】
2010190245.tif 000005
【図４】
2010190245.tif 000006
【図５】
2010190245.tif 000007
【図６】
2010190245.tif 000008